(57)【要約】【課題】  電子機器の蓋体の開状態および閉状態を保持する為に板ばねを用いる構造では、目隠し部材が必要であった。【解決手段】  カバー部材が回動可能に取り付けられたスロット部と、カバー部材がスロット部に対して開状態もしくは閉状態を維持するように付勢する弾性部材を有する電子機器であって、カバー部材は、スロット部方向に突出した、スロット部に回動可能に取り付けられるためのヒンジ部を有し、弾性部材は、先端の一方を電子機器に締結され、電子機器に締結された一方から第１の曲げ部、第２の曲げ部、第３の曲げ部、弾性部材の先端のもう一方である先端部を有し、弾性部材の第２の曲げ部と第３の曲げ部との間がヒンジ部に当接することで、カバー部材が閉状態を保つように付勢し、弾性部材の第３の曲げ部と先端部との間がヒンジ部に当接することで、カバー部材が開状態を保つように付勢することを特徴とする電子機器。【選択図】  図６
2012044057.tif 000002
【特許請求の範囲】
【請求項１】
カバー部材が回動可能に取り付けられたスロット部と、
前記カバー部材が前記スロット部に対して開位置および閉位置を保つように付勢する弾性部材を有する電子機器であって、
前記カバー部材は、前記スロット部の方向に突出した、前記スロット部に回動可能に取り付けられるためのヒンジ部を有し、
前記弾性部材は、先端の一方である取り付け部が前記電子機器に締結され、前記取り付け部から第１の曲げ部、第２の曲げ部、第３の曲げ部、前記弾性部材の先端のもう一方である先端部を有し、
前記弾性部材の前記第２の曲げ部と前記第３の曲げ部との間が前記ヒンジ部に当接することで、前記カバー部材が閉位置を保つように付勢し、
前記弾性部材の前記第３の曲げ部と前記先端部との間が前記ヒンジ部に当接することで、前記カバー部材が開位置を保つように付勢することを特徴とする電子機器。
【請求項２】
前記ヒンジ部には、前記弾性部材が当接するカム部が設けられていることを特徴とする請求項１に記載の電子機器。
【請求項３】
前記弾性部材のうち、前記電子機器に締結された一方と前記第１の曲げ部の間が、前記ヒンジ部が挿入される取り付け穴を塞ぐように配置されることを特徴とする請求項１または２に記載の電子機器。
【発明の詳細な説明】
【技術分野】
【０００１】
本発明は、特にビデオカメラのようなの電子機器の蓋体の開閉構造に関するものである。
【背景技術】
【０００２】
従来より、筐体に対して軸を中心に回動可能に取り付けらたら蓋体を有する電子機器において蓋体の開状態および閉状態を保持する為に板ばねを用いる構造が提案されている。蓋体には蓋体と一体形成されたカム部とヒンジ部が設けられており、ヒンジ部の軸は筺体の軸受け部に回動可能に取り付けられている。筺体に固定された板ばねが、カム部に圧接しており、蓋を開位置、または閉位置に移動する際に、蓋体が開位置および閉位置に安定するよう付勢されている。
【先行技術文献】
【特許文献】
【０００３】
【特許文献１】特開平７−２０６０２３号公報
【発明の概要】
【発明が解決しようとする課題】
【０００４】
しかしながら、上記従来例では蓋体を筺体の外側から組み込むこの際、ヒンジ部と一体で設けられたカム部の組み込み軌跡を逃げる為に目隠し部材が必要であり、コストが掛かるという問題があった。
【課題を解決するための手段】
【０００５】
上記目的を達成するために、本発明は、カバー部材が回動可能に取り付けられたスロット部と、前記カバー部材が前記スロット部に対して開状態もしくは閉状態を保つように付勢する弾性部材を有する電子機器であって、前記カバー部材は、前記スロット部の方向に突出した、前記スロット部に回動可能に取り付けられるためのヒンジ部を有し、前記弾性部材は、先端の一方である取り付け部が前記電子機器に締結され、前記取り付け部から第１の曲げ部、第２の曲げ部、第３の曲げ部、前記弾性部材の先端のもう一方である先端部を有し、前記弾性部材の前記第２の曲げ部と前記第３の曲げ部との間が前記ヒンジ部に当接することで、前記カバー部材が閉状態を保つように付勢し、前記弾性部材の前記第３の曲げ部と前記先端部との間が前記ヒンジ部に当接することで、前記カバー部材が開状態を保つように付勢することを特徴とする。
【発明の効果】
【０００６】
以上説明したように、本発明によれば、板ばねを目隠し部材として利用することができ、かつコストを抑えられる。
【図面の簡単な説明】
【０００７】
【図１】本発明に係る電子機器としてのビデオカメラ１０１の斜視図である。
【図２】ビデオカメラ１０１の右側下方から見た分解斜視図である。
【図３】スロット部３００とスロットカバー１０７の外観図である。
【図４】スロット部３００をビデオカメラ１０１の内側から見た図である。
【図５】板ばね４００の斜視図である。
【図６】スロットカバー１０７の回動動作を説明する図である。（ａ）スロットカバー１０７が閉じた状態を説明する図である。（ｂ）スロットカバー１０７が回動動作中の状態を説明する図である。（ｃ）スロットカバー１０７が開いた状態を説明する図である。
【発明を実施するための形態】
【０００８】
図１と図２は電子機器としての一例であるビデオカメラ１０１（撮像装置）を説明する図である。図１（ａ）はビデオカメラ１０１の右側前方から見た斜視図であり、図１（ｂ）はビデオカメラ１０１を左側後方から見た斜視図である。なお、ビューファインダを覗き込む位置で構えていると想定する撮影者の上方向、下方向、左方向、右方向を、本案件における上方向、下方向、左方向、右方向と、規定する。
【０００９】
ビデオカメラ１０１は、撮像素子を有するカメラ本体部１０２と、このカメラ本体部１０２の前面に突出するように取り付けられた、光学系（レンズユニット１１４）を有するレンズ部１０４から構成されている。なお、本実施例においてはレンズ部１０４はカメラ本体部１０２と一体となっているが、レンズ部１０４がカメラ本体部１０２に対して交換可能な構成であってもよい。
【００１０】
カメラ本体部１０２の右側側面には、撮影者が把持するためのグリップ部１０５が、カメラ本体部１０２に一体に設けられている。グリップ部１０５にはベルト取付部に取り付けたグリップベルトが配置され、撮影者はグリップ部１０５とグリップベルトとの間に手を入れて、グリップ部１０５を把持する。また、ズームキー１０６やトリガーキー（不図示）が配置され、撮影者がグリップ部１０５を把持したまま撮影設定を指示することが可能となっている。カバー部材としてのスロットカバー１０７は、メモリカード用のスロットをカバーしており、スロットカバー１０７内のスロットにメモリカード（不図示）を装着することが可能である。
【００１１】
カメラ本体部１０２の上部には、レンズ部１０４の光軸方向である前後方向に延びる取手部１０３が一体に設けられている。取手部１０３は、カメラ本体部１０２の前側上部に立設された前脚部と、カメラ本体部１０２の後側上部に立設された後脚部と、前脚部と後脚部を連結する取手把持部から構成されている。後脚部の上部であって、取手把持部の後端部には、撮影者が接眼して被写体を確認する電子ビューファインダ１０８が回動可能に取り付けられている。電子ビューファインダ１０８にはアイカップが取り付けられ、図１に示す状態から上方に略７０度回動させることができる。また、取手部１０３の前方には、取手把持部に連続して形成される台座部が設けられている。台座部にはコネクタや操作部材が配置されている。
【００１２】
カメラ本体部１０２の左側側面には、表示部としての表示モニタ１０９が取り付けられており、表示モニタ１０９は２軸ヒンジによってカメラ本体部１０２に対して直交する２軸を中心として回動させることができる。カメラ本体部１０２の後側には、電源供給するためのバッテリ１１０がバッテリー部１１１に着脱可能に取り付けられている。カメラ本体部１０２の下側には、三脚取り付け部などを有するボトム部１１２を備えている。
【００１３】
図２はビデオカメラ１０１の右側下方から見た分解斜視図である。
【００１４】
ビデオカメラ１０１は、カメラ本体部１０２の内部では、メインフレーム１１５に対してレンズユニット１１４とメイン基板１２０が取り付けられている構成になっている。このメイン基板１２０には、コネクタ１２１が実装されており、フレキシブルケーブル１２２により、バッテリー部１１１に取り付けられたベース基板１３０と電気的に接続されている。
【００１５】
図３、４はスロットカバー１０７の開閉構造を示した図である。
蓋体であるスロットカバー１０７は、グリップ部１０５の上部に取り付けられている。スロット部３００にはメモリーカードが挿入可能なスロット３１０があり、スロット３１０を挟むようにして取り付け穴３０１、３０２が配置されている。この取り付け穴３０１，３０２が、スロット３１０に挿抜されるメモリーカードの挿抜動作の妨げとならないように配置されたものである。また、ヒンジ部２０１，２０２は、取り付けたときにスロット部３００方向に突出するようにヒンジ穴２１０がそれぞれ設けられている。ヒンジ部２０１，２０２をそれぞれスロット部の取り付け穴３０１，３０２に挿入することによって、スロットカバー１０７をスロット部３００に取り付けることができる。
図３（ｂ）はスロットカバー１０７をスロット部３００に取り付けた場合の、スロット部３００の正面図である。
上述したように、ヒンジ部２０１ａにスロットカバー１０７の開閉方向の付勢を与えるカム部２２０を設けることで、従来必要であった目隠しカバーを必要とせずに、開閉可能な蓋体開閉構造を得ることができる。
【００１６】
図４はスロット部３００をカメラ本体部１０２の内側から見た図であり、スロットカバー１０７をスロット部３００に取り付ける構造をより詳しく説明する。ヒンジ部２０１，２０２がそれぞれスロット部の取り付け穴３０１，３０２に挿入されることによって、スロットカバー１０７がスロット部３００に取り付けられている。ここで、ヒンジ部２０１，２０２にそれぞれ設けられているヒンジ穴２１０と軸受け部３０３にヒンジピン３０４をそれぞれ挿通することで、スロットカバー１０７はスロット部３００に対して回動可能に取り付けることができる。また、図４（ｂ）に示すようにヒンジピン３０４は押さえ部３０５により、ヒンジ軸受け部３０２から外れないよう押さえられている。そして、スロット部３００に弾性部材としての板ばね４００を取り付け、板ばね４００の上に押さえ部３０５を取り付け、ビス３０６を締結することで押さえ部３０５はスロット部３００に固定される。また、ヒンジ部２０１に設けてあるカム部２２０は、板ばね４００によって開方向および閉方向へ付勢されるように設けてある。
【００１７】
図５は板ばね４００の形状を説明する図である。板ばね４００は、先端の一方である取り付け部４０１から順に第一の曲げ部４０２、第二の曲げ部４０３、第三の曲げ部４０４及び先端のもう一方である先端部４０５を有している。このうち、板ばね４００の、取り付け部４０１はビス３０６などによりスロット部３００に固定されている。板ばね４００とスロットカバー１０７との関係は後述する。
【００１８】
図６はスロットカバー１０７の回動動作を説明する図であり、それぞれスロットカバー１０７が閉じた状態（図６ａ）、スロットカバー１０７が回動動作中の状態（図６ｂ）、及びスロットカバー１０７が開いた状態（図６ｃ）を説明する図である。
【００１９】
図６（ａ）に示すように、スロットカバー１０７が閉じた状態において、板ばね４００の第二の曲げ部４０３と第三の曲げ部４０４の間はカム部２２０と当接してスロットカバー１０７が閉じる方向に付勢する。これにより、スロットカバー１０７が閉じた状態（閉位置）を保持できるようになっている。そして、図６（ｂ）のように、スロットカバー１０７が閉じた状態から開き方向（開いた状態から閉じ方向も同様）に回動していく際には、第三の曲げ部４０４がカム部２２０に当接した状態でスロットカバー１０７が回動する。図６（ｃ）のように、スロットカバー１０７が開いた状態において、板ばね４００の第三の曲げ部４０４から先端部４０５の間がカム部２２０と当接してスロットカバー１０７が開く方向に付勢する。これにより、スロットカバー１０７が開いた状態（開位置）を保持できるようになっている。
【００２０】
なお、本実施例においては、スロット部３００のスロット３１０を挟むようにして取り付け穴３０１、３０２が配置されているが、スロット３１０は端子やボタンのように、開閉可能なカバーで覆われるものであればよい。
【００２１】
このようにして、図３（ｂ）に示す通り、スロットカバー１０７のヒンジ部２０１にカム部２２０を設けることで、板ばね４００の取り付け部４０１と第一の曲げ部４０２の間が、スロット部３００の取り付け穴３０１を塞ぐ位置に配置される。このため、別に目隠し部材を用意しなくとも、使用者が取り付け穴３０１からカメラ本体部１０２の内部の基板等を見ることができないようにすることができ、同時に塵埃対策も成すことができる。
【図１】
2012044057.tif 000003
【図２】
2012044057.tif 000004
【図３】
2012044057.tif 000005
【図４】
2012044057.tif 000006
【図５】
2012044057.tif 000007
【図６】
2012044057.tif 000008